(57)【特許請求の範囲】
【請求項１】
光バスシステムの受信機に電圧を供給するための装置であって、前記装置は、
パラメータを変えることができる素子で構成される回路装置ユニットと、前記回路装置ユニットで発生した電圧が印加されることによって前記受信機に前記電圧を供給するためのスイッチング手段とを備え、
待機モードの場合に、前記スイッチング手段は、クロック状の電圧を前記受信機に供給し、
前記受信機の応答時間は、前記クロック状の電圧の周波数を介して制御され、
前記回路装置ユニットによって発生した前記電圧の周波数は、時定数の変化によって操作することができ、
前記受信機が、前記受信機を伝送モードに切り替えるための光を受信した時、変調された信号光が入力されたか否かを示す信号が状態ピンに提供され、
前記伝送モードの場合には、前記スイッチング手段は、連続する電圧を前記受信機に供給する、
ことを特徴とする装置。
【請求項２】
請求項１に記載の装置において、電力量が、前記回路装置の可変パラメータにより調整可能な比によって、パルスデューティファクタと関連することを特徴とする装置。
【発明の詳細な説明】
【０００１】
【発明の属する技術分野】
本発明は、パラメータを変えることができる素子で構成される回路装置を含み、発生した電圧が、受信機に電圧を印加するスイッチング手段に供給される待機モード中の受信機に電力を供給する装置に関するものである。
【０００２】
【従来の技術】
例えば、光バスシステムにおいて、バスのユーザ側の機器は、情報伝送が終了しした後は、電力消費を低減するように待機モードに切り換えられている。それにも係わらず、この待機モードにおいて個々のユーザの受信機を待機モードに維持するため依然として電力が必要である。この最小にされた電力消費量は、ユーザ側の機器がバッテリをしばしば付勢するため、所定の用途については依然として多過ぎてしまう。従って、電力消費を低減することは、バッテリが付勢されたユーザの有効利用できる期間を延長することになると共にバッテリの大きさの小型化及び重量の軽量化を図ることができる。
【０００３】
文献「Call-by-Call Activation Technique for Fiber-Optic Subscriber Transmission Units 」in IEEE Trasactions on Communications,Vol.COM-35，No.12 ，December 1987,pp1297〜1302  には、受信機がデータの伝送期間中だけ電圧を受信する光通信システムが開示されている。この光通信システムでは、データ電送が行われない期間中光受信機を含む数個の素子だけが電圧を連続的に受け取っている。この電源電圧はバッテリから供給されている。
【０００４】
【発明が解決しようとする課題】
電力消費を低減することはバッテリを最小にし、つまりバッテリの重量を軽量にすることになる。従って、光電送システムにおいて、受信機が待機モードにある場合、電力消費を一層低減することが重要な課題になっている。
【０００５】
従って、本発明の目的は、待機モードの受信機の動作に悪影響を与えることなく、待機モード中の受信機に必要な電力を低減する装置を提供することにある。
【０００６】
【課題を解決するための手段】
この目的を達成するため、本発明による待機中の受信機受信機に電力を供給する装置は、受信機用の電源電圧を、周波数及びパルスデューティファクタにより決定することができるパルス期間を有するクロック状にしたことを特徴とする。
【０００７】
受信機の応答時間は、周波数及びパルスデューティファクタを変えることにより制御することができる。周波数が高くなればなるほど、バスのユーザ側の供給のウエイクアップ処理を初期化するのに必要な受信機の応答時間が短くなる。
【０００８】
パルスデューティファクタによりクロック期間の幅が決定されるので、本装置における電力消費は一層低減される。例えば、電力を最初の値の１／４に低減しようとする場合、１：３のパルスデューティファクタを選択し、この回路の素子の値をこの値のデューティファクタが得られるように調整する必要がある。
【０００９】
受信機が待機モードにある時間期間は、その期間中変調された光（信号光）を受信しないので、変調された信号光が到来する時間期間よりも大幅に長くする。この変調光を受信する時間期間と変調光を受信しない時間期間との間の比率を適切に設定する結果として、大量の電力が節約されることになる。
【００１０】
以下図面を参照して本発明を詳細に説明する。
【００１１】
【発明の実施の形態】
本例では、本発明による装置を光通信システムで用いられる受信機に適用した例を示す。図１は、ユニット１、スイッチング手段２及び受信機３から構成される装置を示す。クロック状の電源電圧がユニット１で発生し、その出力信号６はスイッチング手段に供給され、このスイッチング手段２はクロック状の電源電圧を受信機３の適当な入力部４に供給する。受信機３は変調された光（信号光）が入力したか否かを状態ピン５に指示する。変調された光の入力は状態ピン５で知らされ、変調光が到来するとバスのユーザ側の機器によりウエイクアップ（wack-up ）処理が初期化される。そして、スイッチング手段２が切り換わり、受信機３には連続電圧が供給される。バスのユーザ側の機器は、受信機３が変調された光を受信しない限り待機モードにとどまる。受信機３が待機モードにおけるクロック状の電圧を受信せず連続する電圧を受信するのは、光バスのユーザ側の機器がオンに切り換わるときだけである。
【００１２】
図２はクロック状の電圧を発生する回路装置を示し、この回路はシュミットトリガインバータ１０と、シュミットトリガインバータ１０の入力部に接続した可変抵抗器１２と、可変抵抗器１３と可変キャパシタ１４とで構成されるＲＣ回路１１とで構成する。出力信号１５はユニット１の出力信号６を表し、スイッチング手段を介して受信機３の電圧入力部４（図１）に供給される。
【００１３】
図２の回路で発生し出力信号１５として出力されるパルスはこれらの素子の可変パラメータにより制御することができる。シュミットトリガインバータ１０の入力部の前段に位置するポテショメータ（可変抵抗器）１２により、クロック状の電源電圧のパルスデューティファクタを調整することができる。クロック期間中のスイッチオフ期間の長さに対するスイッチオン期間の長さの比を表すパルスデューティファクタは、電力消費を低減する因子を調整することにより設定される。これら２個の期間の比が大きくなると、一層多くのの電流が節約される。クロック状電源電圧の周波数はこの観点においては別のパラメータであり、ＲＣ回路１１の時定数を変化させることにより変えることができる。この時定数はポテショメータ（可変抵抗器）１３の可変値と可変キャパシタ１４の可変値との積である。この周波数を用いて受信機３が必要とする時間期間を調整し、状態ピンへの変調光の到来を知らせると共にバスのユーザ側の機器に対するウエイクアップ処理を初期化する。周波数が高くなればなるほど、ウエイクアップ処理を初期化するための受信機３の応答時間は短くなる。
【００１４】
これらのパラメータは、システム全体の機能が影響を受けない範囲内においてだけ変えることができる。
【図面の簡単な説明】
【図１】  光バスシステムにおける受信機のクロックド電源のブロック線図を示す。
【図２】  クロックパルスを発生する回路を示す。
【符号の説明】
１  ユニット
２  スイッチング手段
３  受信機
４  入力部
５  状態ピン
【図１】
0004358344.tif 000002
【図２】
0004358344.tif 000003